(57)【要約】【課題】制御装置に不正行為がされたかどうかを容易に判別することができる遊技機を提供する。【解決手段】遊技機１０は、開閉部分を有するケース３５に収められた制御装置３０を備えた遊技機であって、ケース３５には、識別標記記録媒体５０を設け、識別標記記録媒体は、透明基板５１に積層した第１の記録層５２と第１の反射層５３と第２の記録層５４と第２の反射層５５を含み、目視できる第１の標記５６を第１の記録層５４に記録し、画像読み取り手段を用いることによってのみ認識できる第２の標記５７を第２の記録層５４に記録し、ケース３５の開封により第１の標記および／または第２の標記が変化するか解読不能になる。【選択図】図５
2010099341.tif 000002
【特許請求の範囲】
【請求項１】
開閉部分を有するケースに収められた制御装置を備えた遊技機であって、
前記ケースには、識別標記記録媒体を設け、
前記識別標記記録媒体は、透明基板に積層した第１の記録層と第１の反射層と第２の記録層と第２の反射層を含み、
目視できる第１の標記を前記第１の記録層に記録し、画像読み取り手段を用いることによってのみ認識できる第２の標記を前記第２の記録層に記録し、
前記ケースの開封により前記第１の標記および／または前記第２の標記が変化するか解読不能になることを特徴とする遊技機。
【請求項２】
開閉部分を有するケースに収められた制御装置内に設置された制御素子によって作動が制御される遊技機であって、
前記制御素子の前記制御装置への取り付け部分には、識別標記記録媒体を設け、
前記識別標記記録媒体は、透明基板に積層した第１の記録層と第１の反射層と第２の記録層と第２の反射層を含み、
目視できる第１の標記を前記第１の記録層に記録し、画像読み取り手段を用いることによってのみ認識できる第２の標記を前記第２の記録層に記録し、
前記制御素子の取り外しにより前記第１の標記および／または前記第２の標記が変化するか解読不能になることを特徴とする遊技機。
【請求項３】
前記識別標記記録媒体は、少なくとも、透明基板と、該透明基板に積層された記録層、接着剤を有することを特徴とする請求項１または２記載の遊技機。
【請求項４】
前記接着剤は、前記画像読み取り手段で用いる読み取り用光を反射し、前記第２の反射層を形成することを特徴とする請求項３記載の遊技機。
【請求項５】
前記識別標記記録媒体は、前記第１の記録層と前記第１の反射層との間の結合力および／または前記第２の記録層と前記第２の反射層との間の結合力が前記接着剤によって接着された接着部の接着力より弱く構成されており、前記ケースの開封時または前記制御素子の取り外し時に前記第１の記録層より前記第１の反射層が剥離するかまたは前記第２の記録層より前記第２の反射層が剥離することを特徴とする請求項１〜３のいずれか１項に記載の遊技機。
【請求項６】
前記第１の標記は、目視できる文字、図形、または記号であり、前記第２の標記は、前記画像読み取り手段を用いることによってのみ識別できる文字、図形、または記号であることを特徴とする請求項１〜５のいずれか１項に記載の遊技機。
【請求項７】
前記画像読み取り手段を用いることによって識別できる記号は、マイクロコードであることを特徴とする請求項６記載の遊技機。
【発明の詳細な説明】
【技術分野】
【０００１】
本発明は、遊技機に関し、特に、パチンコ機やスロットマシーン等の遊技機に関する。
【背景技術】
【０００２】
従来、遊技機の一種であるパチンコ機には、ROMやCPU等の種々の制御素子を内蔵した制御装置が設けられている。制御装置は、パチンコ機の作動内容を制御するものである。それゆえ、遊技者に都合良く作動するように不正に取り替えられることがある。正規な制御装置を不正な制御装置と交換してしまう不正行為の他に、制御装置に搭載されたCPUが実行する正規なプログラムが記憶されたROMとそのプログラムを改ざんした不正なプログラムが記憶されたROMと交換してしまう不正行為がある。そのため、正規のROM等の制御素子には、不正な他の制御素子と容易に判別できるように、機種名、製造者名等を示した識別情報が表示される。識別情報は、その情報が印刷された識別シールを貼着する方法や、制御素子の外面にレーザ光によって印字する方法がある。（例えば、特許文献１参照）
また、上記の制御装置は、開閉部分を有する透明なプラスチック等でできたケースに収められている。
【０００３】
【特許文献１】特開２０００−２０２１３８号公報
【発明の開示】
【発明が解決しようとする課題】
【０００４】
従来の正規の制御素子に識別情報が印刷された識別シールを貼着する方法や制御素子の外面にレーザ光によって印字する方法の場合、不正の他の制御素子にも識別情報が印刷された識別シールを偽造し貼着して、正規の制御素子と取り替えられたり、不正の他の制御素子の外面に識別情報を偽造して印字して、正規の制御素子と取り替えられたときに、制御装置にそのような不正行為がされたかどうかを判別することが容易ではないという問題点があった。
【０００５】
本発明の目的は、上記の課題を鑑み、制御装置に不正行為がされたかどうかを容易に判別することができる遊技機を提供することにある。
【課題を解決するための手段】
【０００６】
本発明に係る遊技機は、上記の目的を達成するために、次のように構成される。
第１の遊技機（請求項１に対応）は、開閉部分を有するケースに収められた制御装置を備えた遊技機であって、ケースには、識別標記記録媒体を設け、識別標記記録媒体は、透明基板に積層した第１の記録層と第１の反射層と第２の記録層と第２の反射層を含み、目視できる第１の標記を第１の記録層に記録し、画像読み取り手段を用いることによってのみ認識できる第２の標記を第２の記録層に記録し、ケースの開封により第１の標記および／または第２の標記が変化するか解読不能になることで特徴づけられる。
第２の遊技機（請求項２に対応）は、開閉部分を有するケースに収められた制御装置内に設置された制御素子によって作動が制御される遊技機であって、制御素子の制御装置への取り付け部分には、識別標記記録媒体を設け、識別標記記録媒体は、透明基板に積層した第１の記録層と第１の反射層と第２の記録層と第２の反射層を含み、目視できる第１の標記を第１の記録層に記録し、画像読み取り手段を用いることによってのみ認識できる第２の標記を第２の記録層に記録し、制御素子の取り外しにより第１の標記および／または前記第２の標記が変化するか解読不能になることで特徴づけられる。
第３の遊技機（請求項３に対応）は、上記の構成において、好ましくは、識別標記記録媒体は、少なくとも、透明基板と、該透明基板に積層された記録層、接着剤を有することで特徴づけられる。
第４の遊技機（請求項４に対応）は、上記の構成において、好ましくは、接着剤は、画像読み取り手段で用いる読み取り用光を反射し、第２の反射層を形成することで特徴づけられる。
第５の遊技機（請求項５に対応）は、上記の構成において、好ましくは、識別標記記録媒体は、第１の記録層と第１の反射層との間の結合力および／または第２の記録層と第２の反射層との間の結合力が接着剤によって接着された接着部の接着力より弱く構成されており、ケースの開封時または制御素子の取り外し時に第１の記録層より第１の反射層が剥離するかまたは第２の記録層より第２の反射層が剥離することで特徴づけられる。
第６の遊技機（請求項６に対応）は、上記の構成において、好ましくは、第１の標記は、目視できる文字、図形、または記号であり、第２の標記は、画像読み取り手段を用いることによってのみ識別できる文字、図形、または記号であることで特徴づけられる。
第７の遊技機（請求項７に対応）は、上記の構成において、好ましくは、画像読み取り手段を用いることによって識別できる記号は、マイクロコードであることで特徴づけられる。
【発明の効果】
【０００７】
本発明によれば、開閉部分を有するケースに収められた制御装置を備えた遊技機であって、ケースには、識別標記記録媒体を設け、識別標記記録媒体は、透明基板に積層した第１の記録層と第１の反射層と第２の記録層と第２の反射層を含み、目視できる第１の標記を第１の記録層に記録し、画像読み取り手段を用いることによってのみ認識できる第２の標記を第２の記録層に記録し、ケースの開封により第１の標記および／または第２の標記が変化するか解読不能になるため、制御装置に不正行為がされたかどうかを容易に判別することができる。
また、本発明によれば、開閉部分を有するケースに収められた制御装置内に設置された制御素子によって作動が制御される遊技機であって、制御素子の制御装置への取り付け部分には、識別標記記録媒体を設け、識別標記記録媒体は、透明基板に積層した第１の記録層と第１の反射層と第２の記録層と第２の反射層を含み、目視できる第１の標記を第１の記録層に記録し、画像読み取り手段を用いることによってのみ認識できる第２の標記を第２の記録層に記録し、制御素子の取り外しにより第１の標記および／または前記第２の標記が変化するか解読不能になるため、制御装置に不正行為がされたかどうかを容易に判別することができる。
【発明を実施するための最良の形態】
【０００８】
以下、本発明の好適な実施形態（実施例）を添付図面に基づいて説明する。
【０００９】
図１は、本発明の第１実施形態に係る遊技機（パチンコ機）の正面図である。また、図２は、本実施形態に係る遊技機（パチンコ機）の裏面図である。
【００１０】
本実施の形態に係るパチンコ機１０は、遊技盤１を備えている。遊技盤１の図１において右下方であって、枠部材１０ａの右下部には、遊技者によって操作され、発射部（図示せず）を作動させるための操作ハンドル１３が設けられている。操作ハンドル１３は、遊技者側に突出する形状を呈している。操作ハンドル１３は、発射部を作動させて遊技球を発射させる発射指示部材１４を備えている。発射指示部材１４は、操作ハンドル１３の外周部において、遊技者から見て右回りに回転可能に設けられている。発射部は、発射指示部材１４が遊技者によって直接操作されている場合に、遊技球を発射させる。公知の技術であるため説明を省略するが、操作ハンドル１３には、遊技者が発射指示部材１４を直接操作していることを検出するセンサなどが設けられている。
【００１１】
発射部の作動によって発射された遊技球は、レール２ａ，２ｂ間を上昇して遊技盤１の上部位置に達した後、遊技領域３内を落下する。遊技領域３には、図示を省略する複数の釘や、遊技球の落下方向を変化させる風車や、入球口が配設されており、遊技球を各種の方向に向けて落下させるようにしている。ここで、「入球口」は、いずれも後述する第１始動口５、第２始動口２０、普通入賞口７、第１大入賞口９ｃ、第２大入賞口２９ｃの総称である。
【００１２】
遊技盤１の略中央部分には、図柄表示部４が配置されている。図柄表示部４は、例えば、液晶ディスプレイ（ＬＣＤ）やプラズマディスプレイパネル（ＰＤＰ）等のディスプレイを有している。図柄表示部４の下方には、遊技領域３に向けて打ち込まれた遊技球を受入れ可能な第１始動口５が配置されている。第１始動口５の下方には、第２始動口２０が配置されている。第２始動口２０は、一対の可動片（図示せず）が閉状態であるときは遊技球を受け入れることが不可能又は受け入れ困難となっており、この一対の可動片が開状態であるときは、第１始動口５よりも遊技球の受け入れが容易となる。
【００１３】
また、図柄表示部４の左側には、入賞ゲート６が配設されている。入賞ゲート６は、遊技球の通過を検出し、第２始動口２０を一定時間だけ開放させる普通図柄の抽選を行うために設けられている。図柄表示部４の左側部や下方等には、複数の普通入賞口７が配設されている。各普通入賞口７に遊技球が入球すると、所定の賞球数（例えば、１０個）の払い出しが行われる。遊技領域３の最下部には、どの入球口にも入球しなかった遊技球を回収する回収口８が設けられている。
【００１４】
上述した図柄表示部４は、後述する制御装置３０（図２参照）から第１始動口５又は第２始動口２０に遊技球が入球したことが報知されたときに、複数の装飾図柄の変動表示を開始し、所定時間経過後に当該装飾図柄の変動を停止させる。この停止時に特定図柄（例えば、「７７７」）が揃うと、遊技者は第１大当たり遊技（長当たり遊技）を実行する権利を獲得したこととなり、その後、第１大当たり遊技（長当たり遊技）が開始される。第１大当たり遊技（長当たり遊技）が開始されると、遊技領域３の下方に位置する第１大入賞口開閉装置９における第１大入賞口開閉扉９ａが、一定の期間開放する動作を所定回数（例えば、１５回）繰り返し、入球した遊技球に対応する賞球が払い出される。
【００１５】
一方、図柄表示部４における上記装飾図柄の停止時に上記特定図柄とは別の特定図柄（例えば、「７３７」）が揃うと、遊技者は第２大当たり遊技（短当たり遊技）を実行する権利を獲得したこととなり、その後、第２大当たり遊技（短当たり遊技）が開始される。第２大当たり遊技（短当たり遊技）が開始されると、第１大入賞口開閉装置９の右斜め上方に位置する第２大入賞口開閉装置２９における第２大入賞口開閉扉２９ａが、第１大入賞口開閉扉９ａの開閉動作に比して短い時間にて一定の期間開放する動作を所定回数（例えば、１５回）繰り返し、入球した遊技球がある場合、これに対応する賞球が払い出される。
【００１６】
また、遊技盤１の遊技領域３の外周には、枠部材１０ａが設けられ、開口部から遊技領域３が遊技者側に露出している。枠部材１０ａは、遊技者側に突出する形状を呈している。枠部材１０ａにおいて、遊技領域３の左上部及び右下部には、演出ライト（ランプユニット）１１ａ及び１１ｂがそれぞれ設けられている。各演出ライト１１ａ及び１１ｂは、複数のライト１２を備えている。各演出ライト１１ａ及び１１ｂは、上下駆動モータ（図示せず）でそれぞれ駆動されることにより、それぞれが備える複数のライト１２から照射される光の方向を上下方向、すなわち、パチンコ遊技機１０の正面にいる遊技者の頭部と腹部を結ぶ方向に平行な方向に変更可能に構成されている。
【００１７】
また、各ライト１２は、各演出ライト１１ａ及び１１ｂを構成する回転駆動モータ（図示せず）で駆動されることにより、それぞれ所定半径を有する円の円周方向に移動する。以上説明した構成により、各ライト１２から照射された光を回転移動させつつ、各演出ライト１１ａ及び１１ｂ全体から照射された光を上下移動させる演出を行うことができる。さらに、枠部材１０ａの下部には、遊技球が供給される受け皿ユニット１９が設けられている。この受け皿ユニット１９には、図示を省略する貸し玉装置から貸し出される遊技球が供給される。
【００１８】
図１において、図柄表示部４の右側には、演出用の役物（以下、「演出役物」という）１５が設けられている。演出役物１５は、キャラクターとして人間の上半身（特に頭部）を模式的に表している。演出役物１５は、キャラクターの瞼部１６を開閉して、キャラクターが瞬きをするが如くに、瞼部１６を上下方向に沿って移動可能に設けられている。また、演出役物１５は、キャラクターの頭部を左右方向に移行可能に設けられている。
【００１９】
また、枠部材１０ａにおいて、操作ハンドル１３の左側には、遊技者により操作されるチャンスボタン１７が設けられている。チャンスボタン１７の操作は、例えば、遊技中における特定のリーチ演出に際し、チャンスボタン１７の操作を促すガイダンスが表示されている間だけ有効となる。
【００２０】
加えて、枠部材１０ａには、演出効果音又は不正を知らしめる音響を出力するスピーカ（図示せず）が組み込まれている。このスピーカは、高音・中音・低音の領域を出力できるタイプのものであり、通常演出時は高音・中音・低音をバランス良く出力するが、例えば、特別演出時又は不正等があった場合には、周りに良く聞こえるように高音領域を高く出力するように制御される。
【００２１】
パチンコ機１０の裏側には、図２に示すように、図柄表示部４およびソレノイド等のパチンコ機１０の作動内容を制御する制御装置３０、入賞口検出器３１、払出装置３２等が設けられ、制御装置３０は、第１始動口５または第２始動口２０に遊技球が入球すると図柄表示部４に数字，記号等の図柄を変動表示させ所定の確率で偶然性をもって「７７７」等に揃うと大当たりとなりソレノイドを作動させ大入賞口開閉扉９ａを開かせる。また入賞口検出器３１は、大入賞口９等に入賞した打球を検出し、払出装置３２を作動させ遊技球を受け皿ユニット１９に払い出させる。
【００２２】
また、パチンコ機１０は、周囲が機枠３３で覆われている。機枠３３の内部に、機構板３４が設置されており、機構板３４に、ケース３５に収納された制御装置３０が取り付けられている。制御装置３０は、機構板３４に対して着脱自在に取り付けられている。
【００２３】
図３は、制御装置３０を分解して示した図である。制御装置３０は、ケース３５とケース３５の内面側に取り付けた制御基板４２とから概略構成されている。ケース３５は、透明なポリカーボネート樹脂等を成形したものである。制御基板４２は、プリント配線板４３にROM４０やCPU４１等の種々の制御素子を設置したものである。
【００２４】
図４は、ケース３５を閉じた状態を示す図である。ケース３５の開閉部分４５には、識別標記記録媒体５０が設けられている。
【００２５】
図５（ａ）と図５（ｂ）は、それぞれ識別標記記録媒体５０を示す平面図と断面図である。識別標記記録媒体５０は、透明基板５１と、第１の記録層５２と第１の反射層５３と第２の記録層５４と第２の反射層５５が積層されている。識別標記記録媒体５０は、通常のDVD-Rと同様の積層構造のものでも良い。例えば、識別標記記録媒体５０は、透明基板５１にポリカーボネートを用い、第１の記録層５２と第２の記録層５４に有機色素を用い、第１の反射層５３と第２の反射層５５にアルミニウム等を用いて形成される。また、第１の反射層５３は、一部の光が反射し、残りの光が透過する程度にアルミニウムの層厚を調整する。第１の記録層５２には、レーザ等で書き込まれた目視できる第１の標記５６が記録され、第２の記録層５４には、画像読み取り装置７０（図９参照）を用いることによってのみ認識できる第２の標記５７が、レーザ等で書き込まれ記録されている。第１の記録層５２への書き込みは、レーザ光の焦点を第１の記録層５２に合わせることによって行うことができ、第２の記録層５４への書き込みは、レーザ光の焦点を第２の記録層５４に合わせることによって行うことができる。第１の標記５６は、目視できる文字、図形、または記号である。それゆえ、裸眼または眼鏡をかけた人により、第１の標記５６を読み取ることができ、例えば、パチンコホール等の従業員がその第１の標記を読み取ることができる。また、第２の標記５７は、画像読み取り装置７０（図９参照）によってのみ読み取ることができる文字、図形または記号である。第２の標記５７は、例えば、パチンコ機のメーカ等の画像読み取り装置７０を備えた施設でのみ読み取ることができる。さらに、第２の標記５７は、透明基板５１に積層された第２の記録層５４に記録されているため、透明基板５１を介して読み取らなければならないので、通常の顕微鏡では、焦点が合わず、読み取ることができない。したがって、画像読み取り装置７０を有する専門の人だけが解読でき、容易には不正行為を行うことができなくなる。なお、読み取り書き込み用レーザには、例えば６５０ｎｍの赤色レーザを用いることができる。また、第１の記録層５２および第２の記録層５４に書き込み可能な波長のレーザであれば、６５０ｎｍの波長以外の他の波長のレーザを用いることもできる。なお、第１の記録層５２および第２の記録層５４には、有機色素以外に、レーザ光照射により相変化を起こすアモルファス金属を用いることもできる。また、第１の反射層５３には、レーザ光が吸収されにくく、かつ透過しやすい材料であるＡｇ，Ｃｕを用いてもよい。さらに、第１の反射層５３と第２の記録層５４の間には、何も設けない構造で説明したが、第１の反射層５３と第２の記録層５４の間に適当な厚さの透明樹脂材料の中間層を設けてもよい。それにより、第１の記録層５２と第２の記録層５４との記録時に層間クロストークが生じないようにすることができる。
【００２６】
図６は、識別標記記録媒体５０（以下、媒体５０と略記する）のケース３５への取り付けとケース３５の開封の様子を示す断面図である。図６（ａ）は媒体５０を取り付ける前のケース３５が開いている状態を示し、図６（ｂ）は媒体５０を取り付ける際のケース３５が閉じた状態を示し、図６（ｃ）は媒体５０を取り付けた後のケース３５が閉じた状態を示し、図６（ｄ）はケース３５を開封した状態を示す。図７は、媒体５０がケース３５の開閉部分４５に取付けられた状態を示す拡大図であり、図７（ａ）は媒体５０の平面図を示し、図７（ｂ）は、図７（ａ）の断面Ａ−Ａを示し、図７（ｃ）は、図７（ａ）の断面Ｂ−Ｂを示す。図８は、ケース３５の開閉部分４５に取り付けられた媒体５０の詳細を示す断面図であり、図８（ａ）は媒体５０の封印時の断面を示し、図８（ｂ）は媒体５０の開封時の断面を示す。
【００２７】
図６に示すように、ケース３５は、パチンコ機１０に取り付けられた下部ケース６０と、下部ケース６０に対して蝶番６１により開閉可能に取り付けられた上部ケース６２からなる。上部ケース６２の開閉部分には、媒体５０を挿入して封印するための貫通孔６３が形成されている。ケース３５を封印するには、図６（ａ）に示すケース３５が開いた状態から図６（ｂ）に示すように閉じ、図６（ｃ）に示すように媒体５０を貫通孔６３に挿入する。このとき、媒体５０の下端に塗付されている接着剤によって媒体５０は、下部ケース６０および上部ケース６２に接着され、この結果、ケース３５は媒体５０によって封印されることになる。図６（ｄ）は封印後の開封状態を示すが、このとき、後述するように、媒体５０が破損する。
【００２８】
図８（ａ）に示すように、媒体５０は、基板５１に対して、順次、第１の記録層５２、第１の反射層５３、第２の記録層５４，第２の反射層５５、接着剤５８が積層されて形成されたものである。ここで、基板５１は、記録再生の際に用いる光を透過できる任意の材質（一例としては透明な材質、例えば、ポリカーボネート等）からなるものである。第１の記録層５２および第２の記録層５４は、有機色素等からなり、第１の反射層５３および第２の反射層５４は、アルミニウム等からなり、接着剤５８は、エポキシ樹脂接着剤等を用いたものである。また、媒体５０は、接着剤５８が下部ケース６０の上面、上部ケース６２の貫通孔６３の内壁と貫通孔６３近傍の下面に接着されることによって下部ケース６０および上部ケース６２に接着される。そして、これらの層を積層する際、接着剤５８の下部ケース６０に対する接着力より弱い結合力を有する接合をこれらの層の間の少なくとも１個所に付与する。例えば、本実施形態では、第１の記録層５２と第１の反射層５３との間の結合力が接着剤５８の下部ケース６０に対する接着力より弱くなるように形成されている。なお、第１の記録層５２には、有機色素以外に、レーザ光照射により相変化を起こすアモルファス金属を用いることもできる。また、第２の記録層５４と第２の反射層５５との間の結合力が接着剤５８の下部ケース６０に対する接着力より弱くなるように形成されているようにしてもよい。なお、第１の反射層５３には、アルミニウム以外にも、Ａｇ，Ｃｕを用いてもよい。
【００２９】
このため、図８（ｂ）に示すように、ケース３５の開封時には、媒体５０の一部または全体が破損されて第１の標記５４および／または、第２の標記５５が変化するか解読不能になる。それにより、第１の標記５６を目視することができなくなり、また、第２の標記５７を画像読み取り装置７０（図９参照）によって認識することができなくなる。例えば、媒体５０の基板５１と第１の記録層５２は、上部ケース６２に接着された状態となり、第１の反射層５３と第２の記録層５４と第２の反射層５５は下部ケース６０に接着された状態となり、第１の記録層５２から第１の反射層５３が剥離される。それにより、第１の標記５６を目視することができなくなる。また、第２の記録層５４と第２の反射層５５が剥離した場合には、光の反射光量が減り、第２の標記５７を画像読み取り装置７０によって読み取ることができない。このことにより、開封後、再びケース３５を閉じたとしても、第１の記録層５２と第１の反射層５３を密着することが困難であるので、目視で第１の標記５６を読み取れず、ケース３５が開封されたことを認識することができる。また、第２の記録層５４と第２の反射層５５が剥離した場合には、剥離により第２の記録層５４もゆがみや破損が生じ第２の標記５７を画像読み取り装置７０で読み取ることができなくなるため、ケース３５が開封されたことを認識することができる。なお、目視できるとは、裸眼や眼鏡をかけた通常の肉眼で見て分かる状態をいう。
【００３０】
なお、上述した実施形態では、第１の記録層５２と第１の反射層５３との間の結合力または第２の記録層５４と第２の反射層５５との間の結合力が接着剤５８の下部ケース６０に対する接着力より弱くなるように形成されているが、その他の部分、例えば、基板５１と第１の記録層５２との間の結合力を接着剤５８の下部ケース６０に対する接着力より弱くなるようにしてもよい。また、媒体５０は、記録再生が可能であれば、第１の反射層５３、第２の反射層５５を含まないように構成してもよい。
【００３１】
図９は、画像読み取り装置７０を示すブロック図である。画像読み取り装置７０は、媒体５０の第１の記録層５２または第２の記録層５４に記録された画像を読み取りまたは画像を書き込む画像読み取り書き込み部７１と、画像読み取り書き込み部７１によって読みとった画像を解析する画像解析部７２と、画像解析部７２によって解析され、肉眼で識別できる情報に変換して表示する表示部７３とを含む。
【００３２】
図１０は、画像読み取り書き込み部７１の構成例を示す図である。画像読み取り書き込み部７１は、レーザダイオード８１、ビームスキャン用２軸アクチュエータ８２、コリメートレンズ８３、２軸センサ８４、フォーカス用１軸アクチュエータ８５、対物レンズ８６を有する。なお、図示の便宜上、画像読み取り時に必要な部品、例えば、媒体５０からの反射光を分離するビームスプリッタや受光装置等は省略している。
【００３３】
記録（書き込み）の際には、レーザダイオード８１からの光はコリメータレンズ８３により平行光として対物レンズ８６に入射され、フォーカス用１軸アクチュエータ８５により焦点が媒体５０の第１の記録層５２に合わされ、第１の標記５６が記録される。また、フォーカス用１軸アクチュエータ８５により焦点が媒体５０の第２の記録層５４に合わされ、第２の標記５７が記録される。ここで、ビームスキャン用２軸アクチュエータ８２を平面内に動かすことで，平行光の角度を変え、第１の記録層５２上または第２の記録層５４上のスポットを移動することができる。このとき、２軸センサ８４はビームスキャン用２軸アクチュエータ８２の変位を検出するためのものである。なお、再生（画像読み取り）については説明を省略する。また、再生はカメラによる撮像を利用してもよい。この装置７１を用いて第２の標記５７を媒体５０の第２の記録層５４に記録し、また、第２の標記５７が不完全ではない場合には再生（読み取り）することができる。また、第２の標記５７を記録した媒体５０の箇所が不完全の場合には、読みとることができず、制御装置に不正行為がされたかどうかを判別することができる。
【００３４】
上述のように、本実施形態によれば、制御装置に不正行為がされたかどうかを容易に判別することができる。
【００３５】
図１１は、本発明の第２実施形態に係る遊技機を説明するための図であり、制御素子９０の取り付け部９１に識別標記記録媒体５０を設けたところを示す図である。第２実施形態では、第１実施形態と同様、開閉部を有するケースに収められた制御装置内に設置された制御素子によって作動が制御される遊技機（パチンコ機等）である。そして、制御素子の制御装置への取り付け部分に識別標記記録媒体５０を設け、識別標記記録媒体５０に記録される標記が、第１の記録層５２に記録された目視できる第１の標記と、第２の記録層５４に記録された画像読み取り装置を用いることによって認識できる第２の標記とからなっている。制御素子の取り外し時に識別標記記録媒体の一部または全体が破損されて第１の標記および／または第２の標記が変化するか解読不能になる。この実施形態では、媒体５０を取り付けるところが制御素子の取り付け部であるということ以外は、第１実施形態と同様であるので、取り付け部のみを説明し、それ以外は説明を省略する。
【００３６】
図１１に示すように、媒体５０は、制御素子９０の取り付け部９１に接着剤によって取り付けられる。制御素子９０を取り外すと、媒体５０の一部または全体が破損されて第１の標記５４および／または、第２の標記５５が変化するか解読不能になる。それにより、第１の標記５４を認識することができなくなり、また、第２の標記５５を画像読み取り装置によって認識することができなくなる。例えば、媒体５０の基板５１と第１の記録層５２は上部取り付け部に接着された状態となり、第１の反射層５３と第２の記録層５４と第２の反射層５５は下部基板９３に接着された状態となるので、第１の記録層５２から第１の反射層５３が剥離されることになる。第１の反射層５３がない状態では、光の反射光量が減り、第１の標記５６を目視によって読み取ることができなくなる。このことにより、制御素子９０を取り外した後、取り付けたとしても、第１の記録層５２と第１の反射層５３を密着することが困難であるので、目視で第１の標記を判別することができなくなり、制御素子９０が取り外されたことを認識できる。また、第２の記録層５４と第２の反射層５５が剥離したときは、第２の記録層もゆがみや破損が生じ、第２の標記を画像読み取り装置で読み取ることができなくなり、制御素子９０が取り外されたり、交換されたことを認識できる。
【００３７】
なお、上述した実施形態では、第１の記録層５２と第１の反射層５３との間の結合力または第２の記録層５４と第２の反射層５５との間の結合力が接着剤５８の下部基板９３に対する接着力より弱くなるように形成されているが、その他の部分、例えば、基板５１と第１の記録層５２との間の結合力を接着剤５８の下部基板９３に対する接着力より弱くなるようにしてもよい。また、媒体５０は、記録再生が可能であれば、第１の反射層５３、第２の反射層５６を含まないように構成してもよい。
【００３８】
上述のように、本実施形態によれば、制御装置に不正行為がされたかどうかを容易に判別することができる。
【００３９】
図１２は、本発明の第３実施形態に係る遊技機を説明するための図であり、媒体１００が取り付けられたところを示す断面図である。第３実施形態は、識別標記記録媒体１００は、少なくとも、基板５１と、基板５１に積層された第１の記録層５２、第１の反射層５３、第２の記録層５４、接着剤１０１を有し、接着剤１０１は、光を反射する。それ以外は、第１及び第２実施形態と同様であるので、媒体１００を説明する以外は説明を省略する。
【００４０】
図１２で示すように、透明な基板５１の下方に第１の記録層５２と第１の反射層５３と第２の記録層５４を設け、第２の記録層５４は、銀ペーストなどの光を反射する接着剤１０１によって、ケース３５の開閉部分の媒体挿入孔に入れ、下部ケース６０と上部ケース６２に接着する。ケース３５のふたを開けたとき、銀ペーストは、一部破損し、再び閉じたときは、良好な反射を示さず、記録した標記を再現することができなくなり、ケース３５を一度開いたことが容易に判別することができる。また、制御素子９０の取り付け部に、この媒体１００を接着したとき、制御素子９０が取り外されたとき、銀ペーストは、一部破損し、再び閉じたときは、良好な反射を示さず、記録した標記を再現することができなくなり、制御素子９０が取り外されたことが容易に判別することができる。
【００４１】
上述のように、本実施形態によれば、制御装置に不正行為がされたかどうかを容易に判別することができる。
【００４２】
図１３は、本発明の第４実施形態に係る遊技機を説明するための図であり、標記の例を示す図である。第４実施形態では、画像読み取り装置を用いることによって識別できる記号は、マイクロコードである以外は、他の実施形態と同様であるので、図１３を説明する以外は説明を省略する。
【００４３】
図１３には、媒体５０の第２の記録層５４に記録されるコードとして用いられるマイクロコードが示されている。図１３（ａ）はマイクロバーコードを示す。図１３（ｂ）はマイクロ二次元コードを示す。図１３（ａ）から明らかなように、バーの幅は約１μｍ程度であり、バー間の距離は約２μｍである。このときの媒体５０の直径は約６ｍｍであり、厚さは約１ｍｍである。このような媒体５０を作成したり、媒体５０にこのような微小の幅のマイクロコードを記録するには、一般には入手困難な媒体製造装置や記録（または記録再生）装置を用いる必要があり、このことより、媒体５０の作成や記録を困難なものとしており、このため、偽装を困難なものとしている。なお、コードとしては、マイクロコードであれば、任意の適切なものであればよく、例えば、バーコードやＱＲコードであってもよい。なお、コードとして記録される情報は、任意の適切なものであるが、パチンコ機の番号、その他製造情報、年月日、場所、社名等がある。ここで、図１３（ａ）は、例えば、バーの数が数字を表し、２本のバーが数字の２、３本のバーが数字の３等を表しており、すなわち、２３１５１という数字列を表すマイクロバーコードを示している。また、図１３（ｂ）は、バーの刻みの数が数字を表し、すなわち、１５４３３３４３４４３３２５４４という数字列を表すマイクロ二次元コードを示している。
【００４４】
図１４には、マイクロコードの位置と方向を変えた例が示されている。書き込み毎にマイクロコードの位置や角度を変えて、偽造の難度を高めている。例えば、基本位置（中央）
からの位置Ｘ、Ｙ、角度θの情報を付加する。
【００４５】
上述のように、媒体５０の第２の記録層５４に記録する第２の標記としてマイクロコードを用いることにより、媒体５０を偽装することは困難であり、また、制御装置に不正行為がされたかどうかを容易に判別することができる。
【００４６】
なお、上述の実施形態では、第１の記録層５２に第１の標記５６を記録し、第２の記録層５４に第２の標記５７を記録するようにして説明したが、それに限らず、第１の記録層５２に第２の標記５７を記録し、第２の記録層５４に第１の標記５６を記録するようにしてもよい。また、上述の実施形態では、透明基板５１に第１の記録層５２と第２の反射層５３と第２の記録層５４と第２の反射層５５の４つの層を積層した構造で説明したが、それに限らず、記録層と反射層をさらに積層した構造をとることもできる。
【００４７】
なお、上述の実施形態では、遊技機としてパチンコ機を用いて説明したが、それに限らず、スロットマシーン等の他の遊技機についても利用することができる。
【００４８】
以上の実施形態で説明された構成、配置関係等については本発明が理解・実施できる程度に概略的にしたものにすぎない。従って本発明は、説明された実施形態に限定されるものではなく、特許請求の範囲に示される技術的思想の範囲を逸脱しない限り様々な形態に変更することができる。
【図面の簡単な説明】
【００４９】
【図１】本発明の第１実施形態に係る遊技機（パチンコ機）の正面図である。
【図２】本発明の第１実施形態に係る遊技機（パチンコ機）の裏面図である。
【図３】本発明の第１実施形態に係る遊技機（パチンコ機）の制御装置を分解して示した図である。
【図４】本発明の第１実施形態に係る遊技機（パチンコ機）の制御装置のケースを閉じた状態を示す図である。
【図５】本発明の第１実施形態に係る遊技機（パチンコ機）の識別標記記録媒体を示す（ａ）平面図と（ｂ）断面図である。
【図６】識別標記記録媒体のケースへの取り付けとケースの開封の様子を示す断面図である。
【図７】識別標記記録媒体の（ａ）平面図であり、（ｂ）Ａ−Ａ断面図であり、（ｃ）Ｂ−Ｂ断面図である。
【図８】識別標記記録媒体の（ａ）封印時の断面図であり、（ｂ）開封時の断面図である。
【図９】特定の装置を示すブロック図である。
【図１０】画像読み取り書き込み部の構成例を示す図である。
【図１１】本発明の第２実施形態に係る遊技機を説明するための図である。
【図１２】本発明の第３実施形態に係る遊技機を説明するための図である。
【図１３】本発明の第４実施形態に係る遊技機を説明するための図である。
【図１４】マイクロコードの位置と方向を変えた例を示す図である。
【符号の説明】
【００５０】
１          遊技盤
２ａ，２ｂ  レール
３          遊技領域
４          図柄表示部
５          第１始動口
６          入賞ゲート
７          普通入賞口
８          回収口
９ｃ        第１大入賞口
１０        パチンコ機
１３        操作ハンドル
１４        発射指示部
２０        第２始動口
２９ｃ      第２大入賞口
３０        制御装置
３１        入賞球検出器
３２        景品球払出装置
３３        機枠
３４        機構板
３５        ケース
４０        ROM
４１        CPU
５０        識別標記記録媒体
５１        透明基板
５２        第１の記録層
５３        第１の反射層
５４        第２の記録層
５５        第２の反射層
５６        第１の標記
５７        第２の標記
５８        接着剤
【図１】
2010099341.tif 000003
【図２】
2010099341.tif 000004
【図３】
2010099341.tif 000005
【図４】
2010099341.tif 000006
【図５】
2010099341.tif 000007
【図６】
2010099341.tif 000008
【図７】
2010099341.tif 000009
【図８】
2010099341.tif 000010
【図９】
2010099341.tif 000011
【図１０】
2010099341.tif 000012
【図１１】
2010099341.tif 000013
【図１２】
2010099341.tif 000014
【図１３】
2010099341.tif 000015
【図１４】
2010099341.tif 000016